(57)【要約】【課題】キャビティに挿入された端子金具の姿勢の傾きを確実に抑える。【解決手段】端子金具２０は、外面の少なくとも一部が、キャビティ１１への挿入方向と平行な基準面２５となっている角筒部２３と、角筒部２３よりも前方に配され、基準面２５と交差する方向の寸法が角筒部２３よりも小さいタブ２１と、角筒部２３の前端とタブ２１の後端とを繋ぐ連結部２２を備える。端子金具２０は、基準面２５をキャビティ１１の内壁面に当接させることで、キャビティ１１内における姿勢が安定する。端子金具２０は、前後方向において連結部２３と対応する位置に配され、基準面２５に対しては面一の位置関係とされた規制面２９を備えている。【選択図】図２
2011119146.tif 000002
【特許請求の範囲】
【請求項１】
ハウジング内のキャビティに後方から挿入される雄形の端子金具であって、
外面の少なくとも一部が、前記キャビティへの挿入方向と平行な基準面となっている角筒部と、
前記角筒部よりも前方に配され、前記基準面と交差する方向の寸法が前記角筒部よりも小さいタブと、
前記角筒部の前端と前記タブの後端とを繋ぐ連結部を備え、
前記基準面を前記キャビティの内壁面に当接させることで、前記キャビティ内における姿勢が安定するようになっている端子金具において、
前後方向において前記連結部と対応する位置に配され、前記基準面に対しては面一の位置関係とされた規制面を備えていることを特徴とする端子金具。
【請求項２】
前記規制面が、前記基準面に対して面一状に直接的に連なっていることを特徴とする請求項１記載の端子金具。
【請求項３】
前記規制面の外周縁のうち少なくとも一部が、支持部を介して前記連結部の外面に連なっていることを特徴とする請求項１又は請求項２記載の端子金具。
【請求項４】
前記連結部の複数の外面のうち前記規制面と対応する外面は、前記基準面の前端縁から前記タブの外面の後端縁に向かい前記基準面及び前記規制面に対して傾斜した傾斜面となっており、
前記規制面の前端縁は、前記支持部を介して前記傾斜面に連なっており、
前記規制面の前端が、前記傾斜面の前端よりも後方に位置していることを特徴とする請求項３記載の端子金具。
【請求項５】
前記規制面の前端縁が、前記支持部を介して前記連結部の外面に連なり、
前記支持部は、前記規制面と前記連結部の外面の両面に対して鈍角状に連なっていることを特徴とする請求項３又は請求項４に記載の端子金具。
【発明の詳細な説明】
【技術分野】
【０００１】
本発明は、端子金具に関するものである。
【背景技術】
【０００２】
図９及び図１０に示すのは、タブ６１と連結部６２と角筒部６３とを備え、合成樹脂製のハウジング７０内のキャビティ７１に後方から挿入される雄形の端子金具６０である。この端子金具６０は、角筒部６３の外面の少なくとも一部が、キャビティ７１への挿入方向と平行な基準面６４となっている。また、タブ６１は、角筒部６３よりも前方に配され、基準面６４と交差する方向の寸法が角筒部６３よりも小さい。さらに、連結部６２は、角筒部６３の前端とタブ６１の後端とを繋いでいる。端子金具６０をキャビティ７１に挿入した状態では、基準面６４をキャビティ７１の内壁面に当接させることで、キャビティ７１内における端子金具６０の姿勢が安定するようなっている。
【０００３】
端子金具６０をキャビティ７１に挿入した状態では、端子金具６０の挿入動作の円滑化を目的として、端子金具６０の外面とキャビティ７１の内壁面との間にクリアランスが確保されているため、このクリアランスにより、キャビティ７１内における端子金具６０の姿勢が傾くことは避けられない。そこで、相手側ハウジング８０の前端面には、端子金具６０の傾きを吸収する手段として、タブ挿入口８１の周囲をテーパ状に凹ませることにより、傾いたタブ６１をタブ挿入口８１へ誘い込むための誘導斜面８２が形成されている。
【０００４】
尚、この種の端子金具としては、特許文献１に記載されているものがある。
【先行技術文献】
【特許文献】
【０００５】
【特許文献１】特開２００２−１７０６１９号公報
【発明の概要】
【発明が解決しようとする課題】
【０００６】
端子金具６０の姿勢の傾きを抑えるためには、クリアランスを小さくすればよいのであるが、クリアランスを小さくしようとすると、端子金具６０とキャビティ７１の寸法精度を高める必要がある。寸法精度を高めるためには、技術的な困難さという問題だけでなく、製造コストの問題も伴うことから、端子金具６０を小型化してその全長を短くしても、クリアランスが端子金具６０の小型化に対応できないことがある。この場合、キャビティ７１内における端子金具６０の傾き許容角度が大きくなり、相手側ハウジング８０に形成した誘導斜面８２だけでは、端子金具６０の傾きを吸収することが困難である。
【０００７】
この対策としては、キャビティ７１の内壁面のうち連結部６２と対応する前端部領域に、連結部６２の外面とほぼ同じ角度に傾斜させた傾斜面（図示省略）を形成し、この傾斜面に連結部６２の外面を当接させることによって、端子金具６０の傾き防止を図ることが考えられる。このように角筒部６３よりも前方に位置する連結部６２をキャビティ７１の内壁面に当接させる構造にすれば、端子金具６０の外面のうちキャビティ７１の内壁面への当接領域の前後方向の寸法が、傾斜面の分だけ拡大するので、端子金具６０の傾きの許容角度が小さく抑えられることが期待される。
【０００８】
しかしながら、キャビティ７１の形成母体であるハウジング７０は合成樹脂製であり、一般に合成樹脂製の部品は、金属部品に比べると寸法精度の狂いが大きくなることは避けられず、しかも、形状が複雑になるほど、その寸法精度は低下する。そのため、キャビティ７１の内壁を部分的に傾斜させた傾斜面を突出形成しようとする場合には、キャビティ７１の内壁面がフラットのままであるものに比べると、寸法公差を大きくする必要がある。寸法公差を大きくすることは、クリアランスが大きくなることを意味する。したがって、キャビティ７１の内壁に部分的に傾斜させた傾斜面を突出形成することは、端子金具６０の傾きを抑制するという課題に対しては、根本的な解決手段とはならない。
【０００９】
本発明は上記のような事情に基づいて完成されたものであって、キャビティに挿入された端子金具の姿勢の傾きを確実に抑えることを目的とする。
【課題を解決するための手段】
【００１０】
上記の目的を達成するための手段として、請求項１の発明は、ハウジング内のキャビティに後方から挿入される雄形の端子金具であって、外面の少なくとも一部が、前記キャビティへの挿入方向と平行な基準面となっている角筒部と、前記角筒部よりも前方に配され、前記基準面と交差する方向の寸法が前記角筒部よりも小さいタブと、前記角筒部の前端と前記タブの後端とを繋ぐ連結部を備え、前記基準面を前記キャビティの内壁面に当接させることで、前記キャビティ内における姿勢が安定するようになっている端子金具において、前後方向において前記連結部と対応する位置に配され、前記基準面に対しては面一の位置関係とされた規制面を備えているところに特徴を有する。
【００１１】
請求項２の発明は、請求項１に記載のものにおいて、前記規制面が、前記基準面に対して面一状に直接的に連なっているところに特徴を有する。
【００１２】
請求項３の発明は、請求項１または請求項２に記載のものにおいて、前記規制面の外周縁のうち少なくとも一部が、支持部を介して前記連結部の外面に連なっているところに特徴を有する。
【００１３】
請求項４の発明は、請求項３に記載のものにおいて、前記連結部の複数の外面のうち前記規制面と対応する外面は、前記基準面の前端縁から前記タブの外面の後端縁に向かい前記基準面及び前記規制面に対して傾斜した傾斜面となっており、前記規制面の前端縁は、前記支持部を介して前記傾斜面に連なっており、前記規制面の前端が、前記傾斜面の前端よりも後方に位置しているところに特徴を有する。
【００１４】
請求項５の発明は、請求項３又は請求項４に記載のものにおいて、前記規制面の前端縁が、前記支持部を介して前記連結部の外面に連なり、前記支持部は、前記規制面と前記連結部の外面の両面に対して鈍角状に連なっているところに特徴を有する。
【発明の効果】
【００１５】
＜請求項１の発明＞
端子金具の姿勢が傾いたときには、規制面がキャビティの内壁面に当接することにより、それ以上の端子金具の傾きが規制される。この規制面は、基準面よりも前方に位置しているので、基準面の前端をキャビティの内壁に当接させることによって端子金具の傾きを規制するものに比べると、端子金具の傾き角度が小さく抑えられている。
【００１６】
また、規制面は、基準面に対して面一の位置関係となっているので、キャビティの内壁面における規制面との当接領域は、基準面との当接領域を面一状に延長させた形態にすればよい。つまり、規制面の当接領域を形成するに際して、キャビティの内壁面を傾斜や凹凸等の複雑な形状に形成する必要がないので、キャビティの内壁面における規制面との当接領域を高い寸法精度で形成することができる。寸法精度が高いということは、規制面と、キャビティの内壁面における規制面との当接領域との間のクリアランスを小さくできることを意味するので、端子金具の傾きを確実に抑制することができる。
【００１７】
＜請求項２の発明＞
規制面の後端と基準面の前端とが直接連なっているので、規制面の後端部の近傍における連結部と角筒部の外面は、凹凸の少ないシンプルな形状となる。したがって、規制面の後端部の近傍における応力集中が緩和される。
【００１８】
＜請求項３の発明＞
支持部により、規制面の連結部に対する位置ずれ、ひいては端子金具全体に対する位置ずれが防止されるので、姿勢の傾き防止の効果が高い。
【００１９】
＜請求項４の発明＞
規制面の前端が、前後方向において傾斜面の前端と同じ位置にある場合は、規制面の前端縁と傾斜面の前端縁との高低差が大きくなるため、この部分に応力が集中することが懸念される。その点、本発明では、規制面の前端を傾斜面の前端よりも後方に位置させたので、規制面の前端縁と傾斜面の前端縁との高低差が小さく抑えられ、この部分における応力の集中が緩和される。
【００２０】
＜請求項５の発明＞
支持部が、規制面と連結部の外面の両面に対して鈍角状に連なっているので、この鈍角状に連なる境界部分における応力の集中が緩和される。
【図面の簡単な説明】
【００２１】
【図１】実施形態１においてキャビティに挿入された端子金具が傾いている状態をあらわす断面図
【図２】図１の部分拡大図
【図３】キャビティに挿入された端子金具が傾かずに正しい姿勢を取っている状態をあらわす断面図
【図４】図３の部分拡大図
【図５】端子金具の部分拡大側面図
【図６】端子金具の部分拡大平面図
【図７】本発明の変形例の斜視図
【図８】本発明の変形例の斜視図
【図９】従来例においてキャビティに挿入された端子金具が傾いている状態をあらわす断面図
【図１０】図９の部分拡大図
【発明を実施するための形態】
【００２２】
＜実施形態１＞
以下、本発明を具体化した実施形態１を図１乃至図６を参照して説明する。まず、本実施形態の端子金具２０が挿入されるハウジング１０について説明する。ハウジング１０は合成樹脂製であり、その内部には前後方向に貫通する形態の複数のキャビティ１１が形成されている。各キャビティ１１には、後方から端子金具２０が挿入されるようになっている。キャビティ１１には、キャビティ１１に挿入された端子金具２０を抜止めするための手段として、キャビティ１１の下壁面に沿って前方へ片持ち状に延出した形態の弾性撓み可能なランス１２が形成されている。
【００２３】
キャビティ１１の前端部は、ハウジング１０の前端面に貫通孔１３として開口されている。貫通孔１３の開口縁部のうちキャビティ１１の下壁面に連なる下縁部は、下壁面から上方（キャビティ１１に対する端子金具２０の挿入方向と交差する方向）に突出する前止まり部１４となっている。この前止まり部１４の上面（貫通孔１３の内面）は、後述する端子金具２０の連結部２２の下面とほぼ平行に対応する支承面１５となっている。
【００２４】
また、キャビティ１１の内壁面のうち、ランス１２が形成されている下壁面と対向する上壁面は、後述する基準面２５と規制面２９を面当たり状に当接させることにより、キャビティ１１に挿入された端子金具２０の姿勢を安定させるための受け面１６となっている。この受け面１６は、キャビティ１１の前端（ハウジング１０の前端面）から後端近くの位置（キャビティ１１に正規挿入された端子金具２０の角筒部２３の後端よりも後方の位置）に亘って形成されている。受け面１６の前端部は、貫通孔１３の内面を構成するとともに、前止まり部１４の支承面１５と対向する当接面１６Ｆとなっている。受け面１６は、その当接面１６Ｆを含む全領域に亘り、キャビティ１１に対する端子金具２０の挿入方向（挿抜方向）と平行なフラット面（平坦面）となっている。
【００２５】
端子金具２０は、所定形状に打ち抜いた金属板材に曲げ加工等を施すことにより所定の形状に成形されたものである。端子金具２０は、全体として前後方向に細長く、前端から後端に向かってタブ２１と連結部２２と角筒部２３と電線接続部２４を順に連ねた形態となっている。タブ２１は、全体として扁平で細長い板状をなす。角筒部２３は、上面板、左右両側面板及び下面板の４枚の板部からなり、角筒部２３の下面の係止孔（図示省略）には、ランス１２が係止されるようになっている。角筒部２３の上面板の外面（上面）は、キャビティ１１に対する端子金具２０の挿抜方向と平行をなすフラットな基準面２５となっている。この基準面２５と直角な上下方向における角筒部２３の寸法は、タブ２１の上下方向の厚さ寸法よりも大きい。
【００２６】
連結部２２は、角筒部２３と同様に、上面板、左右両側面板及び下面板の４枚の板部から構成されている。図２，４，５に示すように、上面板の後端縁は、角筒部２３の上面板の上端縁に対して鈍角状に連なり、前方に向かって下り勾配となるように傾斜している。この上面板の上面（外面）は、端子金具２０の挿抜方向（即ち、基準面２５及び後述する規制面２９）に対して傾斜した傾斜面２６となっている。傾斜面２６の後端は、基準面２５の前端に対して鈍角状に連なり、傾斜面２６の前端は、タブ２１の外面（上面）に対して鈍角状に連なっている。そして、傾斜面２６の高さは、連結部２２の後端で最も高く、連結部２２の前端で最も低い。
【００２７】
連結部２２の下面板は、図２，４，５上面板とは逆に前方に向かって上り勾配となるように傾斜している。下面板の後端は、角筒部２３の下面板よりも少し上方の位置に連なっており、この連結部２２の下面板と角筒部２３の下面板の高低差により、角筒部２３の前端面には、前止まり部１４に突き当たるための突当面２７が形成されている。上面板の前端は、タブ２１の下面（外面）に対して鈍角状に連なっている。
【００２８】
また、図６に示すように、連結部２２の左右両側面板は、前方に向かってその左右間隔を次第に狭めるように斜めを向いている。両側面板の後端は、角筒部２３の両側面板の前端に対して鈍角状に連なり、両側面板の前端は、タブ２１の両側面の後端に連なっている。このように、連結部２２は、全体として前方に向かって細くなるようなテーパ状をなし、角筒部２３の前端とタブ２１の後端とを繋いでいる。
【００２９】
本実施形態の端子金具２０には、キャビティ１１に挿入された端子金具２０の姿勢が上下方向に傾くのを抑制する手段として、規制部２８及び規制面２９が設けられている。規制部２８と規制面２９は、前後方向（キャビティ１１に対する端子金具２０の挿抜方向）において連結部２２の略後半領域と対応する位置に配されている。具体的には、規制部２８は、傾斜面２６から上方へ突出した形態であり、規制部２８の後端は、角筒部２３の上面板の前端に対し、直接的に連なっている。また、規制部２８の上面は、基準面２５と面一状の位置関係とされた規制面２９となっており、この規制面２９はキャビティ１１に対する端子金具２０の挿抜方向と平行なフラット面となっている。この規制面２９の後端は、基準面２５の前端に対し、直接的に且つ面一状に連なっている。
【００３０】
規制部２８及び規制面２９の左右方向の寸法（幅寸法）は、角筒部２３よりも相当に小さく、端子金具２０を構成する金属板材の板厚のほぼ２倍程度の寸法である。また、左右方向における規制部２８と規制面２９の位置については、角筒部２３及び連結部２２の幅方向中央に位置している。規制部２８と規制面２９の前後方向の長さ寸法は、連結部２２のほぼ１／２程度の寸法である。したがって、規制部２８の前端２８Ｆと規制面２９の前端２９Ｆは、前後方向において連結部２２の前端よりも後方に位置している。
【００３１】
規制面２９の外周縁のうち角筒部２３の基準面２５に連なる後端縁を除いた全領域、即ち前端縁の全領域と左右両側縁の全領域は、規制部２９を構成する第１及び第２の支持部３０Ｆ，３０Ｓを介して連結部２２の外面に連なっている。そして、これらの支持部３０Ｆ，３０Ｓにより、規制面２９は、連結部２２に対する上下左右及び前後方向への相対移動を規制されるとともに、外力が作用しても変形し難くなっている。
【００３２】
規制面２９の前端縁は、第１支持部３０Ｆを介して連結部２２の傾斜面２６（外面）に連なって支持されている。この第１支持部３０Ｆは、傾斜面２６と同様に前方に向かって下り勾配となるように傾斜しており、この第１支持部３０Ｆの水平方向（前後方向）に対する傾斜角度は、傾斜面２６よりも大きい。規制部２８の前端部と第１支持部３０Ｆの後端部、即ち規制面２９の前端部と第１支持部３０Ｆの上面の後端部は、鈍角状に連なっている。また、第１支持部３０Ｆの上面の前端部と傾斜面２６も、鈍角状に連なっている。規制面２９の左右両側縁は、左右一対の第２支持部３０Ｓを介して連結部２２の傾斜面２６（外面）に連なって支持されている。この第２支持部３０Ｓの外面は、規制面２９に対して略直角に連なっているとともに、傾斜面２６に対しても略直角に連なっている。
【００３３】
端子金具２０の成形工程は、次の通りである。角筒部２３を成形する際には、角筒部２３と一緒に連結部２２及びタブ２１を含む部分も概ね角筒状に成形し、その後、連結部２２及びタブ２１となる部分に対し「たたき」と称される上下から挟むプレス加工により、連結部２２とタブ２１を一緒に形成し、この連結部２２及びタブ２１と同時に、規制部２８、規制面２９、第１支持部３０Ｆ及び第２支持部３０Ｓも成形する。プレス加工の際には、後方から連結部２２内に支持プレート（図示省略）を配置し、支持プレートの前端部を規制部２８と対応する位置に固定する。このようにすれば、連結部２２とタブ２１が形成されたときに、連結部２２の上面板のうち支持プレートによって支承された部分が規制部２８として変形せずに残る。
【００３４】
このようにして形成された端子金具２０は、ハウジング１０の後方からキャビティ１１内の正規挿入位置（図３及び図４を参照）に挿入される。キャビティ１１内の正規位置に挿入された端子金具２０は、その突当面２７を前止まり部１４に対して後方から突き当てることにより、前止まりされるとともに、係止孔にランス１２が係止することにより後方への抜け動作を規制される。また、タブ２１が貫通孔１３を貫通してキャビティ１１の前方へ突出し、連結部２２のうち概ね後端側の部分が貫通孔１３内に収容され、連結部２２の下面が、貫通孔１３の支承面１５に対して当接又は僅かにクリアランス１２を空けて対向する。さらに、端子金具２０の基準面２５が、受け面１６のうち当接面１６Ｆよりも後方の領域に対して僅かなクリアランス１２を空けて対向するとともに、規制面２９が、受け面１６の前端部である当接面１６Ｆに対し僅かにクリアランス１２を空けて対向する。この状態から端子金具２０が姿勢を傾けずに上方へ変位すると、端子金具２０の基準面２５と規制面２９がキャビティ１１の受け面１６に対して概ね面当たり状態で当接するので、キャビティ１１内における端子金具２０の姿勢が安定する。
【００３５】
この状態において、端子金具２０がタブ２１を上に向けて前上がりとなるように姿勢を傾けると、図１及び図３に示すように、角筒部２３の下面における後端側の部分がキャビティ１１の下面壁に当接するとともに、規制面２９が当接面１６Ｆに当接することにより、それ以上の端子金具２０の傾きが規制される。この端子金具２０の傾きを規制する規制面２９は、角筒部２３の基準面２５よりも前方に位置しているので、図９及び図１０に示すように、基準面６４の前端をキャビティ７１の内壁に当接させることによって端子金具６０の傾きを規制するものに比べると、本実施形態では、規制面２９によって端子金具２０の傾き角度が小さく抑えられている。
【００３６】
また、規制面２９は、基準面２５に対して面一の位置関係となっているので、キャビティ１１の内壁面における規制面２９との当接領域である当接面１６Ｆは、受け面１６のうち基準面２５との当接領域を面一状に延長させた形態とされている。つまり、規制面２９が当接する当接面１６Ｆを形成するに際して、キャビティ１１の受け面１６（内壁面）の前端部を傾斜や凹凸等の複雑な形状に形成する必要がない。したがって、受け面１６における規制面２９との当接領域である当接面１６Ｆを高い寸法精度で形成することができる。当接面１６Ｆの寸法精度が高いということは、規制面２９と当接面１６Ｆとの間のクリアランス１２を小さくできることを意味するので、端子金具２０の傾きを確実に抑制することができる。
【００３７】
また、規制面２９の後端が、基準面２５の前端に対して直接的に且つ面一状に連なっているので、規制面２９の後端部の近傍における連結部２２と角筒部２３の外面は、凹凸の少ないシンプルな形状となる。したがって、規制面２９の後端部の近傍における応力集中が緩和される。
【００３８】
また、規制面２９の外周縁のうち基準面２５に連なる後端縁を除いた全領域が、第１支持部３０Ｆ及び第２支持部３０Ｓを介して連結部２２の外面に連なっているので、端子金具２０は、第１支持部３０Ｆ及び第２支持部３０Ｓにより、規制面２９の連結部２２に対する位置ずれが防止される。これにより、端子金具２０全体に対する規制面２９の位置ずれが防止されるので、規制面２９による姿勢の傾き防止の効果が高い。
【００３９】
また、傾斜面２６は前方に向かって下り勾配であり、前方に向かうほど規制面２９と傾斜面２６との高低差が拡大していく。したがって、規制面の前端が、前後方向において傾斜面の前端と同じ位置にある場合は、規制面の前端縁と傾斜面の前端縁との高低差が著しく大きくなるため、この部分に応力が集中することが懸念される。その点、本実施形態では、規制面２９の前端２９Ｆを傾斜面２６の前端よりも後方に位置させたので、規制面２９の前端縁と傾斜面２６の前端縁との高低差が小さく抑えられ、この部分における応力の集中が緩和される。また、第１支持部３０Ｆは、規制面２９と傾斜面２６の両方の面に対して鈍角状に連なっているので、この鈍角状に連なる境界部分における応力の集中が緩和されている。
【００４０】
＜他の実施形態＞
本発明は上記記述及び図面によって説明した実施形態に限定されるものではなく、例えば次のような実施形態も本発明の技術的範囲に含まれる。
（１）上記実施形態では、規制面を、連結部の４つの外面のうちいずれか１つの外面のみに形成したが、規制面は、連結部の上下左右４面のうち異なる複数の面に形成してもよい。
（２）上記実施形態では、１つの端子金具に１つの規制面を形成したが、１つの端子金具に複数の規制面を形成してもよい。
（３）上記実施形態では、連結部における１つの外面に対して１つの規制面を対応するように配置したが、連結部における１つの外面に対して複数の規制面を対応させて配置してもよい。
（４）上記実施形態では、規制面の外周縁のうち前端縁の全領域と左右両側縁の全領域が第１支持部及び第２支持部を介して連結部の外面に連なるようにしたが、図７に示す端子金具４０のように、規制面４１の前端縁と左右両側縁のうち一部のみが支持部４２を介して連結部４３の外面に連なる形態としてもよい。また、規制面の後端縁が角筒部の基準面に連なっている場合には、図８の端子金具５０に示すように、規制面５１の前端縁と左右両側縁の全領域が連結部５２の外面に連ならない形態とすることができる。
（５）上記実施形態では、規制面の外周縁のうち後端縁が角筒部の基準面に直接連なる形態としたが、規制面の後端縁が、角筒部（基準面）に直接連なっていない形態としてもよい。この場合、規制面の後端縁は、連結部の外面に連なっている形態と、連なっていない形態のいずれの形態としてもよい。
（６）上記実施形態では、規制面の前端縁が、支持部を介して連結部の傾斜面（外面）に連なる構成とした上で、規制面の前端を、傾斜面の前端よりも後方に位置させたが、規制面の前端が、前後方向において傾斜面の前端と同じ位置にあってもよい。
（７）上記実施形態では、規制面の前端縁に対して第１支持部が鈍角状に連なる形態としたが、規制面の前端縁と第１支持部は、直角または鋭角状に連なる形態であってもよい。
（８）上記実施形態では、規制面の前端縁と傾斜面（連結部の外面）とを繋ぐ第１支持部が、傾斜面に対して鈍角状に連なる形態としたが、この第１支持部と傾斜面は、直角または鋭角状に連なる形態であってもよい。
（９）上記実施形態では、規制面の左右両側縁に対して第２支持部が直角に連なる形態としたが、規制面の左右両側縁と第２支持部は、鋭角状または鈍角状に連なる形態であってもよい。
（１０）上記実施形態では、規制面の左右両側縁と傾斜面（連結部の外面）とを繋ぐ第２支持部が、傾斜面に対して直角に連なる形態としたが、この第２支持部と傾斜面は、鋭角状または鈍角状に連なる形態であってもよい。
【符号の説明】
【００４１】
１０…ハウジング
１１…キャビティ
２０…端子金具
２１…タブ
２２…連結部
２３…角筒部
２５…基準面
２６…傾斜面
２９…規制面
３０Ｆ…第１支持部
３０Ｓ…第２支持部
【図１】
2011119146.tif 000003
【図２】
2011119146.tif 000004
【図３】
2011119146.tif 000005
【図４】
2011119146.tif 000006
【図５】
2011119146.tif 000007
【図６】
2011119146.tif 000008
【図７】
2011119146.tif 000009
【図８】
2011119146.tif 000010
【図９】
2011119146.tif 000011
【図１０】
2011119146.tif 000012